(57)【要約】【課題】開栓済容器であるか未開栓の容器であるかが一目でわかるタンパーエビデント構造を有する注出具を提供すること。【解決手段】注出口本体10の筒体12の下方はバンド保持壁17として形成されバンド保持壁の下縁は外方に延びて環状板18を形成させ環状板の外縁から上方に第２バンド保持壁19を立設してバンド保持壁と第２バンド保持壁の間に環状板を介在させて降下凹部20を形成させ、第２バンド保持壁の上縁内側に保持壁突起21を形成させた構造からなり、キャップ30はキャップ本体31とキャップ本体の裾部32に複数の橋絡部33を介して連設される環状のタンパーエビデントバンド34からなり、タンパーエビデントバンドの下部外周にはバンド突起35が設けられ、キャップ開栓時にはバンド突起と保持壁突起が嵌合してキャップ本体とタンパーエビデントバンドが分離する。【選択図】図３
2005239206.tif 000002
【特許請求の範囲】
【請求項１】
注出口本体と、該注出口本体の筒状部に螺着されるキャップとからなる注出具であって、
前記注出口本体は、筒状部の外周に螺子を有する螺子付き筒体を備え、筒体のさらに下方はバンド保持壁として形成され、バンド保持壁の下縁は外方に延びて環状板を形成させ、該環状板の外縁から上方に環状の第２バンド保持壁を立設して、バンド保持壁と第２バンド保持壁の間に環状板を介在させて降下凹部を形成させ、第２バンド保持壁の上縁内側に保持壁突起を形成させた構造からなり、
前記キャップは、キャップ本体と該キャップ本体の裾部に複数の橋絡部を介して連設される環状のタンパーエビデントバンドからなり、前記タンパーエビデントバンドの下部外周にはバンド突起が設けられ、キャップ開栓時には、バンド突起と保持壁突起が嵌合してキャップ本体とタンパーエビデントバンドが分離することを特徴とする、タンパーエビデント構造を有する注出具。
【請求項２】
注出口本体と、該注出口本体の筒状部に螺着されるキャップとからなる注出具であって、
前記注出口本体は、筒状部の外周に螺子を有する螺子付き筒体を備え、筒体の下部内側には環状に形成された薄肉部を介して前記筒状部の内側を閉塞する隔壁が連設されており、該隔壁には隔壁から立設される開封用のプルリングが備えられ、筒体のさらに下方はバンド保持壁として形成され、バンド保持壁の下縁は外方に延びて環状板を形成させ、該環状板の外縁から上方に環状の第２バンド保持壁を立設して、バンド保持壁と第２バンド保持壁の間に環状板を介在させて降下凹部を形成させ、第２バンド保持壁の上縁内側に保持壁突起を形成させ、また、第２バンド保持壁の外周には適宜の間隔をおいて突起が設けられ、さらに、第２バンド保持壁の下部外周に外方に延びるフランジを形成させた構造からなり、
前記キャップは、キャップ本体と該キャップ本体の裾部に複数の橋絡部を介して連設される環状のタンパーエビデントバンドからなり、前記タンパーエビデントバンドの下部外周にはバンド突起が設けられ、キャップ開栓時には、バンド突起と保持壁突起が嵌合してキャップ本体とタンパーエビデントバンドが分離することを特徴とする、タンパーエビデント構造を有する注出具。
【請求項３】
前記注出口本体の下部外周に形成される降下凹部の深さは、タンパーエビデントバンドの幅より長いことを特徴とする、請求項１又は２記載のタンパーエビデント構造を有する注出具。
【請求項４】
前記第２バンド保持壁には一つ又は二つ以上の貫通孔が穿設されていることを特徴とする、請求項１、２又は３記載のタンパーエビデント構造を有する注出具。
【発明の詳細な説明】
【技術分野】
【０００１】
本発明は、タンパーエビデント（開栓したことがはっきりわかる機能）構造を有する注出具に関するものであり、特には、開栓済であるか未開栓であるかが一目で分かるタンパーエビデント構造を有する注出具に関する。
【背景技術】
【０００２】
従来、キャップ本体の裾部に細い橋絡部を介在させてタンパーエビデントバンドを設けたタンパーエビデント構造を有するキャップは、開栓時にバンドを注出具の口元に固定する必要がある。
【０００３】
タンパーエビデントバンドの固定方法には、ラチェット方式（例えば、特許文献１参照）、アンダーカット方式、フラップ方式（例えば，特許文献２参照）などの方式がある。
【特許文献１】特開２００３−３１２６９７号公報（請求項１）
【特許文献２】特開２００３−３１２６９６号公報（請求項１）  これらはいずれもタンパーエビデントバンドの内側に係止部が設けられ、注出具の口元下部の対応する位置には該係止部と係止される突起等が設けられている。開栓時にタンパーエビデントバンドが係止してキャップ本体とタンパーエビデントバンドが分離し、キャップ本体を再度口元に装着した時は、キャップ本体とタンパーエビデントバンドとが十分に離れるようにタンパーエビデントバンドが下方に降下している必要がある。しかしながら、従来のこれらのキャップでは、タンパーエビデントバンドの降下が不十分で、一見して開栓済であることが判別し難い状態である。
【発明の開示】
【発明が解決しようとする課題】
【０００４】
本発明は、タンパーエビデントバンド構造を有するプラスチック製でねじ込み式の注出具に関する以上のような問題に鑑みてなされたもので、開栓済であるか未開栓であるかが一目で分かるタンパーエビデント構造を有する注出具を提供することを課題とする。
【課題を解決するための手段】
【０００５】
本発明の請求項１の発明は、注出口本体と、該注出口本体の筒状部に螺着されるキャップとからなる注出具であって、前記注出口本体は、筒状部の外周に螺子を有する螺子付き筒体を備え、筒体のさらに下方はバンド保持壁として形成され、バンド保持壁の下縁は外方に延びて環状板を形成させ、該環状板の外縁から上方に環状の第２バンド保持壁を立設して、バンド保持壁と第２バンド保持壁の間に環状板を介在させて降下凹部を形成させ、第２バンド保持壁の上縁内側に保持壁突起を形成させた構造からなり、前記キャップは、キャップ本体と該キャップ本体の裾部に複数の橋絡部を介して連設される環状のタンパーエビデントバンドからなり、前記タンパーエビデントバンドの下部外周にはバンド突起が設けられ、キャップ開栓時には、バンド突起と保持壁突起が嵌合してキャップ本体とタンパーエビデントバンドが分離することを特徴とする、タンパーエビデント構造を有する注出具である。
【０００６】
このように請求項１記載の発明によれば、注出口本体と、該注出口本体の筒状部に螺着されるキャップとからなる注出具であって、前記注出口本体は、筒状部の外周に螺子を有する螺子付き筒体を備え、筒体のさらに下方はバンド保持壁として形成され、バンド保持
壁の下縁は外方に延びて環状板を形成させ、該環状板の外縁から上方に環状の第２バンド保持壁を立設して、バンド保持壁と第２バンド保持壁の間に環状板を介在させて降下凹部を形成させ、第２バンド保持壁の上縁内側に保持壁突起を形成させた構造からなり、前記キャップは、キャップ本体と該キャップ本体の裾部に複数の橋絡部を介して連設される環状のタンパーエビデントバンドからなり、前記タンパーエビデントバンドの下部外周にはバンド突起が設けられ、キャップ開栓時には、バンド突起と保持壁突起が嵌合してキャップ本体とタンパーエビデントバンドが分離するので、キャップ本体から分離したタンパーエビデントバンドは降下凹部に落下してキャップ本体とタンパーエビデントバンドの隙間を十分に大きくとることが可能で、開栓の有無が一見して判別できる。
【０００７】
また、請求項２の発明は、注出口本体と、該注出口本体の筒状部に螺着されるキャップとからなる注出具であって、前記注出口本体は、筒状部の外周に螺子を有する螺子付き筒体を備え、筒体の下部内側には環状に形成された薄肉部を介して前記筒状部の内側を閉塞する隔壁が連設されており、該隔壁には隔壁から立設される開封用のプルリングが備えられ、筒体のさらに下方はバンド保持壁として形成され、バンド保持壁の下縁は外方に延びて環状板を形成させ、該環状板の外縁から上方に環状の第２バンド保持壁を立設して、バンド保持壁と第２バンド保持壁の間に環状板を介在させて降下凹部を形成させ、第２バンド保持壁の上縁内側に保持壁突起を形成させ、また、第２バンド保持壁の外周には適宜の間隔をおいて突起が設けられ、さらに，第２バンド保持壁の下部外周に外方に延びるフランジを形成させた構造からなり、前記キャップは、キャップ本体と該キャップ本体の裾部に複数の橋絡部を介して連設される環状のタンパーエビデントバンドからなり、前記タンパーエビデントバンドの下部外周にはバンド突起が設けられ、キャップ開栓時には、バンド突起と保持壁突起が嵌合してキャップ本体とタンパーエビデントバンドが分離することを特徴とする、タンパーエビデント構造を有する注出具である。
【０００８】
このように請求項２記載の発明によれば、注出口本体と、該注出口本体の筒状部に螺着されるキャップとからなる注出具であって、前記注出口本体は、筒状部の外周に螺子を有する螺子付き筒体を備え、筒体の下部内側には環状に形成された薄肉部を介して前記筒状部の内側を閉塞する隔壁が連設されており、該隔壁には隔壁から立設される開封用のプルリングが備えられ、筒体のさらに下方はバンド保持壁として形成され、バンド保持壁の下縁は外方に延びて環状板を形成させ、該環状板の外縁から上方に環状の第２バンド保持壁を立設して、バンド保持壁と第２バンド保持壁の間に環状板を介在させて降下凹部を形成させ、第２バンド保持壁の上縁内側に保持壁突起を形成させ、また、第２バンド保持壁の外周には適宜の間隔をおいて突起が設けられ、さらに、第２バンド保持壁の下部外周に外方に延びるフランジを形成させた構造からなり、前記キャップは、キャップ本体と該キャップ本体の裾部に複数の橋絡部を介して連設される環状のタンパーエビデントバンドからなり、前記タンパーエビデントバンドの下部外周にはバンド突起が設けられ、キャップ開栓時には、バンド突起と保持壁突起が嵌合してキャップ本体とタンパーエビデントバンドが分離するので、キャップ本体から分離したタンパーエビデントバンドは降下凹部に落下してキャップ本体とタンパーエビデントバンドの隙間を十分に大きくとることが可能で、開栓の有無が一見して判別できると共に、例えば、注出具取付け孔を設けた屋根型などの紙製容器、あるいはバッグインボックス等を簡単に取り付けることができる。
【０００９】
また、請求項３の発明は、請求項１又は２の発明において、前記注出口本体の下部外周に形成される降下凹部の深さは、タンパーエビデントバンドの幅より長いことを特徴とする、タンパーエビデント構造を有する注出具である。
【００１０】
このように請求項３記載の発明によれば、注出口本体の下部外周に形成される降下凹部の深さは、タンパーエビデントバンドの幅よりも長く形成されているので、降下凹部に落下したエビデントバンドは、側面からは見ることができない。
【００１１】
また、請求項４の発明は、請求項１、２又は３の発明において、前記第２バンド保持壁には一つ又は二つ以上の貫通孔が穿設されていることを特徴とする、タンパーエビデント構造を有する注出具である。
【００１２】
このように請求項４記載の発明によれば、第２バンド保持壁には一つ又は二つ以上の貫通孔が穿設されているので、注出口本体にキャップを螺合させた時には貫通孔よりタンパーエビデントバンドは見えないが、キャップを開栓しタンパーエビデントバンドがキャップ本体から分離して降下凹部に降下した時には貫通孔からタンパーエビデントバンドを見ることができる。
【発明の効果】
【００１３】
このように本発明のタンパーエビデント構造を有する注出具は、つぎに述べるような効果がある。すなわち、以上のような構造を有することで、キャップと注出口本体全体の高さを高くしなくてもタンパーエビデントバンドとキャップの間の隙間を十分にとることができる。そのため、よりよいタンパーエビデント性を有する。
また、タンパーエビデントバンドを完全に注出口本体の降下凹部に落下させることにより視認性はさらに向上する。
加えてタンパーエビデントバンドの外周縁にバンド突起を設け、注出口本体の第２バンド保持壁の内周縁に保持壁突起を設けたことにより、内容物を注出する際に容器を逆さまに傾けても、タンパーエビデントバンドが注出口本体から落下することはない。
【００１４】
従来のアンダーカット方式やフラップ方式のキャップでは再封時にタンパーエビデントバンドを手で持ち上げて未開栓状態のように戻すことが比較的容易であるが、本発明の注出具の構造では手でタンパーエビデントバンドに触れることができないため、タンパーエビデントバンドを未開栓の状態に戻すことはできない。
【００１５】
本発明は、その構造上ガラスびん、ペットボトルのようなボトル状の容器に限らず、紙製容器やフィルム、シート等からなる袋状容器、あるいは一斗缶などの金属容器等に有効である。
【発明を実施するための最良の形態】
【００１６】
本発明を一実施形態に基づいて以下に詳細に説明する。
本発明のタンパーエビデント構造を有する注出具は、例えば、図１に示すように、注出口本体（１０）と、該注出口本体の筒状部（１１）に螺着されるキャップ（３０）とからなる注出具（１）であり、通常では、ポリエチレン、ポリプロピレンなどの剛性を有する熱可塑性樹脂を射出成形して作製するものである。そして、ペットボトルのようなプラスチックボトルやガラスびんなどの容器の首部に容器成形と同時に取り付けて使用することができる。
【００１７】
注出口本体（１０）は、筒状部（１１）の外周に螺子（１３）を有する螺子付き筒体（１２）を備え、筒体（１２）の下方はバンド保持壁（１７）として形成され、バンド保持壁（１７）の下縁は外方に延びて環状板（１８）を形成させ、該環状板（１８）の外縁から上方に環状の第２バンド保持壁（１９）を立設して、バンド保持壁（１７）と第２バンド保持壁（１９）の間に環状板（１８）を介在させて降下凹部（２０）を形成させている。
【００１８】
降下凹部（２０）は、例えば、断面形状を略Ｕ字状にして、後記するタンパーエビデントバンド（３４）の幅より長い深さを有するように形成することにより、タンパーエビデントバンド（３４）がキャップ本体（３１）から分離して降下凹部（２０）に落下した際
、タンパーエビデントバンド（３４）が降下凹部（２０）の中にかくれてしまい、注出具（１）を横からみても目視することができず、キャップを開けたことが一目でわかり好ましい（図３参照）。
【００１９】
第２バンド保持壁（１９）の上縁内側には保持壁突起（２１）が形成されている。
また、第２バンド保持壁（１９）の下部に一つ又は二つ以上の貫通孔（２４）を穿設させても良い。貫通孔（２４）が穿設されることにより、キャップを開栓してタンパーエビデントバンド（３４）がキャップ本体（３１）から分離して降下凹部（２０）に落下した際、降下凹部（２にかくれても貫通孔（２４）からその存在を確認することができる（図４（ａ）、（ｂ）参照）。
【００２０】
キャップ（３０）は、キャップ本体（３１）と該キャップ本体の裾部（３２）に複数の橋絡部（３３）を介して連設される環状のタンパーエビデントバンド（３４）からなる。
【００２１】
タンパーエビデントバンド（３４）の下部外周にはバンド突起（３５）が設けられており、キャップ開栓時には、バンド突起（３５）と保持壁突起（２１）が嵌合してキャップ本体（３１）とタンパーエビデントバンド（３４）が分離する構造を有する注出具（１）である。
【００２２】
図２、図３は本発明のタンパーエビデント構造を有する注出具の別の実施形態を示す説明図で、基本構造は図１と変わらないが、螺子付き筒体（１２）の下部内側に環状に形成された薄肉部（１４）を介して筒状部の内側を閉塞する隔壁（１５）が連設され、隔壁（１５）には隔壁から立設される開封用のプルリング（１６）が設けられ、さらに、注出口本体の第２バンド保持壁（１９）の下部外周に外方に延びるフランジ（２３）を形成させ、第２バンド保持壁（１９）の外周に適宜の間隔をおいて突起（２２）を設けたものである。フランジ（２３）は、図２に示すように、環状板（１８）と同一平面上に設けても良いし、それより上方に設けても構わない。なお、隔壁（１５）やプルリング（１６）を設けない構造とすることもできる。
【００２３】
フランジ（２３）を形成させることにより、注出具取付け孔を設けた紙製容器、バッグインボックス等の容器用の注出具として容易に活用することができる。また、隔壁（１５）を形成させることにより、内容物が筒状部の上側まで達することはない。
【図面の簡単な説明】
【００２４】
【図１】本発明のタンパーエビデント構造を有する注出具の一実施例を示す、部分断面説明図である。
【図２】本発明のタンパーエビデント構造を有する注出具の別の実施例を示す、部分断面説明図である。
【図３】図２の注出具の部分切断斜視説明図で、（ａ）は開栓前の状態を示し、（ｂ）は開栓後の状態を示す。
【図４】本発明のタンパーエビデント構造を有する注出具を横から見た、（ａ）は未開栓状態での説明図であり、（ｂ）は開栓後の説明図である。
【符号の説明】
【００２５】
１‥‥注出具
１０‥‥注出口本体
１１‥‥筒状部
１２‥‥螺子付き筒体
１３‥‥螺子
１４‥‥薄肉部
１５‥‥隔壁
１６‥‥プルリング
１７‥‥バンド保持壁
１８‥‥環状板
１９‥‥第２バンド保持壁
２０‥‥降下凹部
２１‥‥保持壁突起
２２‥‥突起
２３‥‥フランジ
２４‥‥貫通穴
３０‥‥キャップ
３１‥‥キャップ本体
３２‥‥裾部
３３‥‥橋絡部
３４‥‥タンパーエビデントバンド
３５‥‥バンド突起
【図１】
2005239206.tif 000003
【図２】
2005239206.tif 000004
【図３】
2005239206.tif 000005
【図４】
2005239206.tif 000006